(57)【要約】【課題】遮断機全動作範囲にわたって折損防止器の誤作動を回避する遮断かん折損防止器を提供する。【解決手段】遮断かん折損防止器は固定筒からロッカーに掛けてロッカー回動を抑える制止機構２５を備える。この制止機構２５は固定筒に設けられるクランプ装置２６と、クランプ装置２６からロッカーに掛けてロッカー回動を抑える連結アーム２７とからなる。連結アーム２７によって可動板の運動が拘束され、遮断かん折損防止器は掛けた連結アーム２７がロッカーから外されるまで、正常に機能しなくなる。【選択図】図２
2007055395.tif 000002
【特許請求の範囲】
【請求項１】
中空の固定筒と、前記固定筒の一端に固着された固定板と、前記固定板の一面に回動可能に設けられ、反固定板側に延在する遮断かん用保持器を有する可動板と、前記可動板の固定板側に連結され、遮断かんに高荷重が作用したとき、荷重方向に伸長して遮断かんを変位させるリンク機構と、前記可動板に回動可能に設けられ、前記固定板と係合して前記可動板の運動を拘束するロッカーとを備える遮断かん折損防止器において、前記固定筒から前記ロッカーにかけてロッカー回動を抑える制止機構を設けたことを特徴とする遮断かん折損防止器。
【請求項２】
前記制止機構が前記固定筒に設けられるクランプ装置と、前記クランプ装置から前記ロッカーに掛止めしてロッカー回動を抑える連結アームとからなることを特徴とする請求項１記載の遮断かん折損防止器。
【請求項３】
前記連結アームが前記クランプ装置との係合部に遊動機構を備えることを特徴とする請求項２記載の遮断かん折損防止器。
【発明の詳細な説明】
【技術分野】
【０００１】
本発明はロッカー回動を抑える制止機構を設け、遮断機全動作範囲にわたって折損防止器の誤作動を回避するようにした遮断かん折損防止器に関する。
【背景技術】
【０００２】
腕木式遮断機には供用中の遮断かんの破損等を回避する目的で遮断かん折損防止器を付設することが行われる。この遮断かん折損防止器は、たとえば踏切を通行する自動車などがブレーキ操作の遅れなどから遮断かんに衝突してしまう事故を想定して考案されたもので、衝突時の衝撃荷重を弱めることで遮断かんの破損を回避することが可能である。
【０００３】
ところで、腕木式遮断機の遮断かん折損防止器は遮断機が降りた状態で踏切を通行する自動車などが遮断かんに衝突する可能性がある場合に機能させるのが本来の使い方で、遮断機の待機状態では遮断かん折損防止器の働きは一時止められる。これは強風などに起因して遮断かん折損防止器に誤作動が生じるのを回避するためである。この誤作動を回避する比較的簡便な手段は遮断かん折損防止器にロッカーを付設するやり方である。
【０００４】
図６に示すように、このロッカーによるものは遮断機５１が一定角度まで回転したとき、この運動に追従するロッカー５２が回動し、ロッカー５２のコ字状溝５３が静止部材である固定板５４とかみ合い、ロッカー５２と固定板５４との係合で遮断かん折損防止器の運動を拘束するようにしたものである。
【発明の開示】
【発明が解決しようとする課題】
【０００５】
上記の遮断かん折損防止器に組み込まれたロッカーは遮断機の休止時期に合わせて機能させるようにしたもので、遮断機の限られた動作範囲しか働かない。このため、遮断機が降りた状態で遮断かんに強風が吹きつけるような場合、遮断かんが風によって大きく煽られ、遮断かん折損防止器に誤作動が発生する可能性がある。
【０００６】
こうした懸念への備えとして、これまで応急的には針金等を用いて遮断かん折損防止器の可動部材を固定部材に縛りつけて固定する方法が用いられている。しかし、この応急処置は作業が全て手作業となることで手間が掛かり、効率よく実施できない。また、針金によらない締結手段を用いた処置も考えられるが、同様に手間が掛かり、効率よく実施できない。
【０００７】
本発明の目的は遮断機全動作範囲にわたって折損防止器の誤作動を回避することを可能にした遮断かん折損防止器を提供することにある。
【課題を解決するための手段】
【０００８】
本発明は中空の固定筒と、固定筒の一端に固着された固定板と、固定板の一面に回動可能に設けられ、反固定板側に延在する遮断かん用保持器を有する可動板と、可動板の固定板側に連結され、遮断かんに高荷重が作用したとき、荷重方向に伸長して遮断かんを変位させるリンク機構と、可動板に回動可能に設けられ、固定板と係合して可動板の運動を拘束するロッカーとを備える遮断かん折損防止器において、固定筒からロッカーにかけてロッカー回動を抑える制止機構を設けたことを特徴とするものである。
【０００９】
本発明においては台風時など強風が激しく吹く非常時に臨んでロッカー回動を抑える制止機構を働かせる。このとき、ロッカーは回動することができず、可動板の下端と係合したまま、可動板の運動が拘束される。この結果、遮断かん折損防止器は制止機構がロッカーから外されるまで、機能しなくなる。これにより、遮断かん折損防止器に誤作動が生じるのを回避することができる。
【発明を実施するための最良の形態】
【００１０】
本発明による遮断かん折損防止器について図面を参照して説明する。図１（ａ）（ｂ）において、本発明の遮断かん折損防止器は遮断器（図示せず）に装着される中空の固定筒１を備える。この固定筒１の一端には固定板２が設けられる。また、遮断かん折損防止器は固定板２の一面に揺動可能に設けられる揺動機構３を有する。この揺動機構３は固定板２に固着される一対の枢軸（後記）を有し、この枢軸を中心として可動板４が相反する２つの方向に回動できるようになっている。
【００１１】
回動する可動板４には遮断かん５を保持する保持器６が取り付けられる。保持器６は樋形本体７と、この本体７の開口側に装着される一対のＵ字ボルト８と、このＵ字ボルト８のねじと螺合する調整ナット９とからなる。Ｕ字ボルト８はそれぞれの内面にゴム製の押さえ板１０を備える。
【００１２】
一方、揺動機構３は固定板２の固定される枢軸としての一対のジョイント１１を有する。上述した可動板４はこのジョイント１１に設けられ、ジョイント１１を中心として相反する２つの方向に回動することができる。可動板４は保持器６と反対側の面にフック１２を備える。
【００１３】
また、固定筒１の内部にリンク機構１３が収容される。これは遮断かん５に高荷重が作用したとき、伸長して遮断かん５を変位させるもので、固定筒１の中心に配置される、一端にフック１４を有するセンタロッド１５と、このセンタロッド１５に沿って一端を固定板２に当接して設けられるスプリング１６と、このスプリング１６を反対側でセンタロッド１５に支持するナット１７と、センタロッド１５にフック１４と可動板４のフック１２とに掛けわたすチェーン１８とで構成される。なお、図において符号１９は座金を示している。
【００１４】
さらに、図１（ｃ）に示すように、遮断かん折損防止器は可動板４に装着されるロッカー２０を備える。このロッカー２０は可動板４に固着された一対のブラケット２１と、このブラケット２１に装着される一対のピン２２と、この一対のピン２２に回動可能に設けられる回動阻止片２３とからなる。回動阻止片２３には固定板２および可動板４と係合する、コ字状溝２４（図１（ｂ）参照）が形成される。
【００１５】
このようなロッカー２０によれば、遮断器が降りた状態からある角度まで回転したとき、可動板４上のピン２２を中心としてロッカー２０が時計方向に回転し、このとき、回動阻止片２３のコ字状溝２４が固定板２の下端とかみ合い、ロッカー２０と固定板２との係合で遮断かん折損防止器の運動を拘束することができる。
【００１６】
また、遮断かん折損防止器は固定筒１からロッカー２０にかけてロッカー回動を抑えるための制止機構２５（図１（ｂ）参照）を備える。この制止機構２５は固定筒１に設けられる後記のクランプ装置からロッカー２０に掛止めしてロッカー回動を抑える連結部材によって可動板４の運動を拘束する。
【００１７】
図２（ａ）（ｂ）に示すように、制止機構２５は固定筒１に着脱可能に設けられるクランプ装置２６と、このクランプ装置２６からロッカー２０に掛止めしてロッカー回動を抑える連結アーム２７とからなる。クランプ装置２６は収容部を内側に向けて組み合うフレーム２８およびクランプ２９と、２個の六角穴付きボルト３０とを備える。フレーム２８は長手方向ほぼ中心に固定筒１を受け入れるための円弧状に形成される凹溝３１を有する。
【００１８】
また、ロッカー回動を抑える連結アーム２７は先端にロッカー２０の回動阻止片２３に掛ける鉤部３２を備える。この連結アーム２７はフレーム２８との係合部に遊動機構３３を介して取り付けられる。図３に示すように、この遊動機構３３は六角穴付きボルト３４と、この六角穴付きボルト３４と螺合するナット３５と、フレーム２８および連結アーム２７と接する２枚の皿ばね３６と、六角穴付きボルト３４および連結アーム２７と接する２枚の皿ばね３７の間に介装されるスプリング３８とで構成される。
【００１９】
この遊動機構３３によれば、連結アーム２７を可動板４に取り付けたロッカー２０に掛けるとき、ロッカー２０までの距離に合わせて連結アーム２７の位置を調節しながら、掛けることが可能で、ロッカー２０への掛止めを容易に果たすことができる。
【００２０】
本実施の形態は上記構成からなるもので、通常時、図４に示すように、固定筒１に装着したクランプ装置２６のフレーム２８の裏面に連結アーム２７を置き、連結アーム２７の鉤部３２をフレーム２８の端に掛けて六角穴付きボルト３９によって連結アーム２７をフレーム２８に固定して置く。すなわち、連結アーム２７の所定の位置への収納により制止機構２５を機能させることなく、遮断かん折損防止器を正常に作動させることができる。
【００２１】
一方、台風時など強風が激しく吹く非常時には遮断機が待機状態にあるとき、六角穴付きボルト３９を緩めてフレーム２８から連結アーム２７を外し、連結アーム２７を回しながら、図５に示すように、鉤部３２をロッカー２０の回動阻止片２３に掛ける。このとき、ロッカー２０は連結アーム２７のために自由に回動することができなくなり、固定板２および可動板４の下端と係合したままになる。
【００２２】
この結果、可動板４の運動が拘束されることで、遮断かん折損防止器は掛止めした連結アーム２７がロッカー２０から外されるまで、正常に機能しなくなる。この機能停止は遮断機全動作範囲にわたる。したがって、遮断機がどのような位置でも、遮断かん折損防止器に誤作動が生じることはない。
【００２３】
このように本実施の形態においては固定筒１からロッカー２０にかけてロッカー回動を抑える制止機構２５を設けているので、遮断機全動作範囲にわたって遮断かん折損防止器に誤作動が生じるのを回避することができる。
【産業上の利用可能性】
【００２４】
本発明の遮断かん折損防止器は遮断かんに強風が吹きつけるとき、遮断かん折損防止器の働きを一時的に止め、遮断かん折損防止器に誤作動が生じるのを回避するのに有用である。
【図面の簡単な説明】
【００２５】
【図１】本発明による遮断かん折損防止器の一実施の形態を示すもので、（ａ）は遮断かん折損防止器の平面図、（ｂ）は遮断かん折損防止器の側面図、（ｃ）は遮断かん折損防止器の正面図である。
【図２】図１に示される制止機構を示すもので、（ａ）は制止機構の正面図、（ｂ）は制止機構の側面図である。
【図３】本発明による遊動機構を示す構成図である。
【図４】本発明によるフレームに収納した連結アームを示す動作説明図である。
【図５】本発明によるロッカーに掛止めした連結アームを示す動作説明図である。
【図６】従来の遮断機動作に従う遮断かん折損防止器のロッカーを示す動作説明図である。
【符号の説明】
【００２６】
１…  固定筒
２…  固定板
４…  可動板
５…  遮断かん
１３…  リンク機構
２０…  ロッカー
２３…  回動阻止片
２５…  制止機構
２６…  クランプ装置
２７…  連結アーム
２８…  フレーム
３３…  遊動機構
【図１】
2007055395.tif 000003
【図２】
2007055395.tif 000004
【図３】
2007055395.tif 000005
【図４】
2007055395.tif 000006
【図５】
2007055395.tif 000007
【図６】
2007055395.tif 000008